(57)【要約】【課題】▲１▼回転圧入方向のずれ防止や地中障害の撤去等のために予め地盤に下穴を開ける必要がある場合でも、鋼管杭取付用アタッチメントの付け替えを不要とし、▲２▼杭芯セット時の正確な位置決めを容易とし、▲３▼鋼管杭周面の土層が乱されることがなく、▲４▼鋼管杭の開口端部の変形を防止することのできる鋼管杭取付用アタッチメントを提供する。【解決手段】円柱状の胴体部と、該胴体部の上端部に設けられた鋼管杭回転圧入装置の杭回転圧入手段に取り付けるための取付部と、該胴体部の下端部に設けられた鋼管杭の上端を押さえ付けるための鍔部と、該鍔部の下端部に設けられた鋼管杭に挿入するための杭挿入部と、を備え、該杭挿入部にスパイラル状の掘削刃が形成されてなるようにした。【選択図】  図１
2004232322.tif 000002
【特許請求の範囲】
【請求項１】
鋼管杭回転圧入装置の杭回転圧入手段に少なくとも一端が開口した鋼管杭を取り付ける際に介在せしめられる鋼管杭取付用アタッチメントであって、円柱状の胴体部と、該胴体部の上端部に設けられた鋼管杭回転圧入装置の杭回転圧入手段に取り付けるための取付部と、該胴体部の下端部に設けられた鋼管杭の上端を押さえ付けるための鍔部と、該鍔部の下端部に設けられた鋼管杭の開口端部に挿入するための杭挿入部と、を備え、該杭挿入部にスパイラル状の掘削刃が形成されてなることを特徴とする鋼管杭取付用アタッチメント。
【請求項２】
前記杭挿入部の先端部は、縮径したテーパー状とされ、鋼管杭の杭芯と一致又は略一致する突端が形成されてなることを特徴とする請求項１記載の鋼管杭取付用アタッチメント。
【請求項３】
前記杭挿入部に、鋼管杭の内周面側に固着されている回転用凸部材と係合するように形成されてなる回転用凸部材受部を設けることを特徴とする請求項１又は２記載の鋼管杭取付用アタッチメント。
【請求項４】
前記鍔部の周縁下端部分は、鋼管杭の開口端部を挿嵌可能な挿嵌溝が形成されてなることを特徴とする請求項１〜３のいずれか１項記載の鋼管杭取付用アタッチメント。
【請求項５】
前記杭挿入部は、伸縮自在に構成されてなることを特徴とする請求項１〜４のいずれか１項記載の鋼管杭取付用アタッチメント。
【発明の詳細な説明】
【０００１】
【発明の属する技術分野】
本発明は、鋼管杭回転圧入装置の杭回転圧入手段に鋼管杭を取り付ける際に介在せしめられる鋼管杭取付用アタッチメントに関する。
【０００２】
【関連技術】
一般的に、いわゆる鋼管杭打機の一態様として、トラッククレーン等のクレーン車両のブーム先端部に鋼管杭回転圧入装置を取り付けることにより、鋼管杭打機を構成するものが知られている。鋼管杭回転圧入装置としては、例えば、図７及び図８に示した如くのものである。図７は、一般的な鋼管杭回転圧入装置の全体的構成を示す模式説明図である。図８は、図７における杭回転圧入手段を拡大して示す要部拡大図であり、（ａ）は鋼管杭取付用アタッチメントの取付前、（ｂ）は鋼管杭取付用アタッチメントの取付後である。図中、符号１１０は鋼管杭回転圧入装置である。鋼管杭回転圧入装置１１０は、トラッククレーン１０２のブーム１０４の先端取付部に取り付けられる。この鋼管杭回転圧入装置１１０は、リーダ１２０と、リーダ１２０に沿ってチェーン１２２により上下動自在とされている杭回転圧入手段１３０とからなり、杭回転圧入手段１３０には、鋼管杭を回転させるためのモータ１３２が備えられている。そして、鋼管杭を鋼管杭回転圧入装置１１０の杭回転圧入手段１３０に取り付け、杭回転圧入手段１３０のモータ１３２により鋼管杭を回転させつつ、杭回転圧入手段１３０をリーダ１２０に沿って下方に押進せしめることにより、鋼管杭を地盤に対して回転圧入するというものである（例えば、特許文献１及び特許文献２参照）。
【０００３】
【特許文献１】
登録実用新案第３０５２０４４号公報
【特許文献２】
登録実用新案第３０７０７５８号公報
【０００４】
このような鋼管杭回転圧入装置の杭回転圧入手段１３０に鋼管杭を取り付ける際には、通常、異口径の鋼管杭を取り付け易いように、鋼管杭取付用アタッチメント１４０が用いられており、鋼管杭回転圧入装置１１０の杭回転圧入手段１３０のアタッチメント取付具１３４に鋼管杭取付用アタッチメント１４０を取り付け、これにより、鋼管杭を鋼管杭回転圧入装置の杭回転圧入手段１３０に取り付けることができるようになっている。
【０００５】
従来の鋼管杭取付用アタッチメントとしては、例えば、図９に示した如くのものが知られている。図９は、従来の鋼管杭取付用アタッチメントを示す概念説明図であり、（ａ）は鋼管杭の取付前、（ｂ）は鋼管杭の取付後である。また、図１０は、従来の鋼管杭を示す概念説明図である。図中、符号１４０は、従来の鋼管杭取付用アタッチメントであり、符号２００は鋼管杭である。
【０００６】
鋼管杭取付用アタッチメント１４０は、円柱状の胴体部１４４と、該胴体部１４４の上端部に設けられた鋼管杭回転圧入装置の杭回転圧入手段に取付孔１４１を介して取り付けるための取付部１４２と、該胴体部１４４の下端部に設けられた鋼管杭の上端を押さえ付けるための円盤状の鍔部１４５と、該鍔部１４５の下端部に設けられた鋼管杭の開口端部に挿入するための円柱状の杭挿入部１４８と、該鍔部１４５の外周端部から下方に突出した鋼管杭の回転用凸部材と係合するための鉤状の回転用凸部材受部１４６と、からなっている〔図９（ａ）〕。
【０００７】
また、このような鋼管杭取付用アタッチメント１４０に取り付けられる鋼管杭２００は、内部中空で、端部は開口した開口端部２０２とされ、鋼管杭２００の端部付近の外周面には矩形の回転用凸部材２１０が溶接等により固着されているものである（図１０）。
【０００８】
そして、鋼管杭取付用アタッチメント１４０の杭挿入部１４８を鋼管杭２００の開口端部２０２から挿入し、鋼管杭２００の上端が鋼管杭取付用アタッチメント１４０の鍔部１４５に接するまで押し込み、鋼管杭２００の回転用凸部材２１０と、鋼管杭取付用アタッチメント１４０の回転用凸部材受部１４６とが係合するようにして取り付けるようになっている〔図９（ｂ）〕。
【０００９】
従って、鋼管杭回転圧入装置１１０のリーダ１２０に沿って、杭回転圧入手段１３０が下方に押進せしめられると、鋼管杭２００は、鋼管杭取付用アタッチメント１４０の鍔部１４５で押圧されつつ、杭回転圧入手段１３０のモータ１３２からの回転動力が鋼管杭取付用アタッチメント１４０の回転用凸部材受部１４６と係合している鋼管杭２００の回転用凸部材２１０に伝達されて回転することとなり、鋼管杭２００は地盤に対して回転しつつ圧入されるようになっている。
【００１０】
しかし、上記従来の鋼管杭取付用アタッチメントには、以下のような問題点がある。
【００１１】
▲１▼砕石等で締め固めた地盤のような堅固な地盤や、地中障害が存在する土層に鋼管杭を回転圧入する場合には、鋼管杭の回転圧入方向がずれるのを防止したり、地中障害を撤去したりする必要から、予め地盤に下穴を開ける必要があり、この場合、鋼管杭取付用アタッチメントをアースオーガー等に付け替える等して、下穴を開けた後、再度、鋼管杭取付用アタッチメントに付け替えて、鋼管杭の回転圧入作業を行うという迂遠なものであり、回転圧入作業の遅延原因となっている。
【００１２】
▲２▼従来の鋼管杭取付用アタッチメントでは、図１０に示したように、杭挿入部１４８の先端部１４９はなだらかな曲部となっているため、正確な杭芯位置が不明瞭であり、杭芯セット時の正確な位置決めが容易でなく、回転圧入作業の遅れを招いている。
【００１３】
▲３▼回転用凸部材２１０が鋼管杭２００の外周面に取り付けられ、鋼管杭取付用アタッチメント１４０の回転用凸部材受部１４６と鋼管杭２００の外周面側で係合しているため、この状態で鋼管杭２００を回転圧入すると、鋼管杭２００の外周面よりも外方にある回転用凸部材２１０により、鋼管杭周面の土層が乱されてしまう。
【００１４】
▲４▼鋼管杭取付用アタッチメント１４０に取り付けられている鋼管杭２００の開口端部が回転圧入時の押圧力や回転力により変形してしまい、回転圧入後の鋼管杭の品質が低下する危険性があった。
【００１５】
【発明が解決しようとする課題】
本発明は、上記従来の鋼管杭取付用アタッチメントの問題点に鑑みてなされたものであり、▲１▼回転圧入方向のずれ防止や地中障害の撤去等のために予め地盤に下穴を開ける必要がある場合でも、鋼管杭取付用アタッチメントの付け替えを不要とし、▲２▼杭芯セット時の正確な位置決めを容易とし、▲３▼鋼管杭周面の土層が乱されることがなく、▲４▼鋼管杭の開口端部の変形を防止することのできる鋼管杭取付用アタッチメントを提供することを目的とする。
【００１６】
【課題を解決するための手段】
上記課題を解決するために、本発明の鋼管杭取付用アタッチメントは、鋼管杭回転圧入装置の杭回転圧入手段に鋼管杭を取り付ける際に介在せしめられる鋼管杭取付用アタッチメントであって、円柱状の胴体部と、該胴体部の上端部に設けられた鋼管杭回転圧入装置の杭回転圧入手段に取り付けるための取付部と、該胴体部の下端部に設けられた鋼管杭の上端を押さえ付けるための鍔部と、該鍔部の下端部に設けられた鋼管杭に挿入するための杭挿入部と、を備え、該杭挿入部にスパイラル状の掘削刃が形成されてなることを特徴とする。
【００１７】
これにより、鋼管杭取付用アタッチメントが、鋼管杭を取り付ける際の治具としてだけでなく、ドリルとしての機能をも兼備することが可能となり、堅固な地盤に鋼管杭を回転圧入する場合に下穴を開ける必要が生じても、鋼管杭取付用アタッチメントを付け替えることなく、そのまま下穴を掘るためのドリルとして使用することができ、迅速な回転圧入作業を行うことが可能となる。
【００１８】
前記杭挿入部の先端部は、縮径したテーパー状とされ、鋼管杭の杭芯と一致又は略一致する突端が形成されてなることが好ましい。これにより、杭芯セット時の正確な位置決めが容易となり、迅速且つ正確な鋼管杭の回転圧入が可能となる。
【００１９】
前記杭挿入部に回転用凸部材受部を設け、該回転用凸部材受部は、鋼管杭の内周面側に固着されている回転用凸部材と係合するように形成されてなることが好ましい。これにより、鋼管杭の内周面側で鋼管杭の回転用凸部材と鋼管杭取付用アタッチメントの回転用凸部材受部とが係合し、鋼管杭の外周面側には何も無い状態となるため、鋼管杭周面の土層が乱されることもない。
【００２０】
前記鍔部の周縁下端部分は、鋼管杭の開口端部を挿嵌可能な挿嵌溝が形成されてなることが好ましい。これにより、挿嵌溝に鋼管杭の開口端部を挿嵌しておくことで鋼管杭の開口端部が固定され、回転圧入時の押圧力や回転力によって鋼管杭の開口端部の変形を防止することができ、回転圧入後の鋼管杭の品質低下もない。
【００２１】
前記杭挿入部は、伸縮自在に構成されてなることが好ましい。これにより、下穴を掘り下げる際の深さの調節ができるようになるからである。
【００２２】
【発明の実施の形態】
以下に本発明の実施の形態を添付図面中、図１〜図６に基づいて説明するが、図示例は例示的に示されたもので、本発明の技術思想から逸脱しない限り種々の変形が可能なことはいうまでもない。
【００２３】
図１は、本発明の鋼管杭取付用アタッチメントを示す正面説明図であり、図２は、その背面説明図であり、図３は、その底面斜視説明図である。図中、符号２は、本発明の鋼管杭取付用アタッチメントである。
【００２４】
本発明の鋼管杭取付用アタッチメント２は、円柱状の胴体部６と、該胴体部６の上端に形成された鋼管杭回転圧入装置の杭回転圧入手段に取付孔５を介して取り付けられるようになっている取付部４と、胴体部６の下部において、鋼管杭に挿入可能とされている杭挿入部８と、杭挿入部８の上端において、鋼管杭の上端を押し付けるための鍔部１０とを有している。
【００２５】
杭挿入部８の下部には、スパイラル状の掘削刃１２が形成されている。即ち、杭挿入部８は、上部が鋼管杭の内径と略合致する外周を有する基部９ａとされ、下部が基部９ａよりも小径の小径部９ｂとなっており、この小径部９ｂに掘削刃１２をスパイラル状に突設してなるものである。
【００２６】
この掘削刃１２は、刃先の外周が杭挿入部８の基部９ａの外周と同じかそれ以下である必要がある。掘削刃１２の刃先の外周が杭挿入部８の外周よりも大きくなると、杭挿入部８を鋼管杭の開口端部に挿入することができなくなるからである。
【００２７】
また、杭挿入部８は、その基部９ａの一部を鉤状に切り欠いて、回転用凸部材導入部１５と回転用凸部材受部１６が形成され、また、スパイラル状の掘削刃１２にも、その一部を切り欠いて、回転用凸部材導入路１４が形成されている。この回転用凸部材導入部１５及び回転用凸部材導入路１４は、後述するように本発明で用いる鋼管杭５０の回転用凸部材６０が鋼管杭５０の内周面側に固着されているために（図５参照）、杭挿入部８を鋼管杭５０に挿入するに際し、鋼管杭５０における回転用凸部材６０を回転用凸部材受部１６に導入するまでの通路となる部分である。
【００２８】
さらに、杭挿入部８の先端部１８は、縮径したテーパー状とされ、鋼管杭の杭芯と一致又は略一致する突端１９が形成されている。杭芯セット時の正確な位置決めを容易とし、迅速且つ正確な鋼管杭の回転圧入を可能とするためである。
【００２９】
鍔部１０の周縁下端部分には、杭挿入部８の上端部を側方から囲繞するようにして、ガイド部材２０が設けられており、ガイド部材２０と杭挿入部８との間の間隙は、挿嵌溝２２となっている。挿嵌溝２２は、鋼管杭の厚みと同程度の幅を有する間隙であり、鋼管杭の開口端部が、数センチ〜数十センチ程度、挿嵌できるようになっている。これにより、鋼管杭の開口端部は、上端からは鍔部１０、内周面側からは杭挿入部８、外周面側からはガイド部材２０により夫々固定され、鋼管杭の開口端部の変形を防止することができる。
【００３０】
図４は、本発明の鋼管杭取付用アタッチメントにおける杭挿入部を伸縮自在に構成する場合の一例を示す概念説明図であり、（ａ）は縮めた状態、（ｂ）は伸ばした状態である。
【００３１】
本発明の鋼管杭取付用アタッチメント２ａでは、胴体部６は内部中空とされ、胴体部６の内径において摺動自在な内部円柱体４０が胴体部６の内部空間に収納可能とされている。
【００３２】
内部円柱体４０には、上部係止孔４２と下部係止孔４４が穿孔されており、また、胴体部６にも貫通孔３０が、内部円柱体４０の上部係止孔４２と下部係止孔４４に連通し得るように穿孔されている。
【００３３】
従って、内部円柱体４０の上部係止孔４２又は下部係止孔４４と、胴体部６の貫通孔３０とが連通するように合致せしめ、ピン状の係止金具３２を差し込むことにより、杭挿入部８を伸縮自在とすることができる。なお、図示例では、上部係止孔４２と下部係止孔４４により、２段階に伸縮できるようにした場合の例を示したが、さらに多数の係止孔を設けて、多段階に伸縮できるようにすることもできることは勿論である。このようにして、必要な深さの下穴を堀穿することができるようになる。
【００３４】
図５は、本発明の鋼管杭取付用アタッチメントで用いる鋼管杭を示す概念説明図である。また、図６は、本発明の鋼管杭取付用アタッチメントに鋼管杭を取り付けた状態を示す概念説明図である。
【００３５】
図中、符号５０は鋼管杭である。鋼管杭５０は、内部中空で端部は開口した開口端部５２となっている。前述した従来の鋼管杭２００（図１０参照）と異なり、本発明で用いる鋼管杭５０は、内周面側に矩形の回転用凸部材６０が溶接等により固着されたものである。
【００３６】
そして、このような鋼管杭５０を本発明の鋼管杭取付用アタッチメント２に取り付ける場合には、鋼管杭５０の回転用凸部材６０と、鋼管杭取付用アタッチメント２における杭挿入部８の回転用凸部材導入路１４及び回転用凸部材導入部１５とを一致させるようにして、鋼管杭取付用アタッチメント２の杭挿入部８を鋼管杭５０に挿入し、鋼管杭５０の回転用凸部材６０が鋼管杭取付用アタッチメント２の回転用凸部材受部１６に係合するようにすればよい。
【００３７】
【発明の効果】
以上述べたように、本発明の鋼管杭取付用アタッチメントによれば、▲１▼回転圧入方向のずれ防止や地中障害の撤去等のために予め地盤に下穴を開ける必要がある場合でも、鋼管杭取付用アタッチメントの付け替えを不要とし、▲２▼杭芯セット時の正確な位置決めを容易とし、▲３▼鋼管杭周面の土層が乱されることがなく、▲４▼鋼管杭の開口端部の変形を防止することのできる鋼管杭取付用アタッチメントを提供することができるという大きな効果を奏する。
【図面の簡単な説明】
【図１】本発明の鋼管杭取付用アタッチメントを示す正面説明図である。
【図２】図１の背面説明図である。
【図３】図１の底面斜視説明図である。
【図４】本発明の鋼管杭取付用アタッチメントにおける杭挿入部を伸縮自在に構成する場合の一例を示す概念説明図であり、（ａ）は縮めた状態、（ｂ）は伸ばした状態である。
【図５】本発明の鋼管杭取付用アタッチメントで用いる鋼管杭を示す概念説明図である。
【図６】本発明の鋼管杭取付用アタッチメントに鋼管杭を取り付けた状態を示す概念説明図である。
【図７】一般的な鋼管杭回転圧入装置の全体的構成を示す模式説明図である。
【図８】図７における杭回転圧入手段を拡大して示す要部拡大図であり、（ａ）は鋼管杭取付用アタッチメントの取付前、（ｂ）は鋼管杭取付用アタッチメントの取付後である。
【図９】従来の鋼管杭取付用アタッチメントを示す概念説明図であり、（ａ）は鋼管杭の取付前、（ｂ）は鋼管杭の取付後である。
【図１０】従来の鋼管杭を示す概念説明図である。
【符号の説明】
２，２ａ：本発明の鋼管杭取付用アタッチメント、４：取付部、５：取付孔、６：胴体部、８：杭挿入部、９ａ：基部、９ｂ：小径部、１０：鍔部、１２：掘削刃、１４：回転用凸部材導入路、１５：回転用凸部材導入部、１６：回転用凸部材受部、１８：先端部、１９：突端、２０：ガイド部材、２２：挿嵌溝、３０：貫通孔、３２：係止金具、４０：内部円柱体、４２：上部係止孔、４４：下部係止孔、５０：鋼管杭、５２：開口端部、６０：回転用凸部材、１００：トラッククレーン、１０２：ブーム、１１０：鋼管杭回転圧入装置、１２０：リーダ、１２２：チェーン、１３０：杭回転圧入手段、１３２：モータ、１３４：アタッチメント取付具、１４０：従来の鋼管杭取付用アタッチメント、１４１：取付孔、１４２：取付部、１４４：胴体部、１４５：鍔部、１４６：回転用凸部材受部、１４８：杭挿入部、１４９：先端部、２００：従来の鋼管杭、２０２：開口端部、２１０：回転用凸部材。
【図１】
2004232322.tif 000003
【図２】
2004232322.tif 000004
【図３】
2004232322.tif 000005
【図４】
2004232322.tif 000006
【図５】
2004232322.tif 000007
【図６】
2004232322.tif 000008
【図７】
2004232322.tif 000009
【図８】
2004232322.tif 000010
【図９】
2004232322.tif 000011
【図１０】
2004232322.tif 000012